(57)【要約】【課題】画像データから文字コードデータへの変換結果を効率的に利用する。【解決手段】情報処理システム（１００）は、画像読取装置（１０）と、情報処理装置（２０）とを備える。画像読取装置（１０）は、画像データを文字コードデータに変換可能な前変換処理部（１４）を含み、情報処理装置（２０）は、画像データを文字コードデータに変換可能な後変換処理部（２２）を含む。情報処理装置（２０）は、前変換処理部（１４）によって対象画像データ（ＯＧ）を変換した文字コードデータ（ＲＣＤ）を画像読取装置（１０）から受信した場合、後変換処理部（２２）が対象画像データ（ＯＧ）を文字コードデータに変換せず、前変換処理部（１４）によって対象画像データ（ＯＧ）を変換した文字コードデータを画像読取装置（１０）から受信しなかった場合、後変換処理部（２２）が対象画像データ（ＯＧ）を文字コードデータに変換する。【選択図】図２
2020135295.tif 000002
【特許請求の範囲】
【請求項１】
原稿を読み取って対象画像データを生成する画像読取装置と、
前記対象画像データを処理する情報処理装置と
を備える、情報処理システムであって、
前記画像読取装置は、画像データを文字コードデータに変換可能な前変換処理部を含み、
前記情報処理装置は、画像データを文字コードデータに変換可能な後変換処理部を含み、
前記情報処理装置は、
前記前変換処理部によって前記対象画像データを変換した文字コードデータを前記画像読取装置から受信した場合、前記後変換処理部が前記対象画像データを文字コードデータに変換せず、
前記前変換処理部によって前記対象画像データを変換した文字コードデータを前記画像読取装置から受信しなかった場合、前記後変換処理部が前記対象画像データを文字コードデータに変換する、情報処理システム。
【請求項２】
前記前変換処理部は、前記後変換処理部よりも高い認識率で前記画像データを前記文字コードデータに変換する、請求項１に記載の情報処理システム。
【請求項３】
前記前変換処理部は、使用量に応じて使用料が増加するように設定されている、請求項１または２に記載の情報処理システム。
【請求項４】
前記後変換処理部は、使用量に応じて使用料が変化しないように設定されている、請求項１から３のいずれかに記載の情報処理システム。
【請求項５】
前記後変換処理部は、
画像データを文字コードデータに変換可能な第１変換処理部と、
画像データを文字コードデータに変換可能な第２変換処理部と、
前記第１変換処理部および前記第２変換処理部のいずれが前記対象画像データを文字コードに変換するかを選択する選択部と
を含む、請求項１から４のいずれかに記載の情報処理システム。
【発明の詳細な説明】
【技術分野】
【０００１】
本発明は、情報処理システムに関する。
【背景技術】
【０００２】
原稿を読み取って原稿中の文字を認識する文字認識が知られている。このような処理は、光学文字認識（Ｏｐｔｉｃａｌ  Ｃｈａｒａｃｔｅｒ  Ｒｅｃｏｇｎｉｔｉｏｎ：ＯＣＲ）処理とも呼ばれる。光学文字認識処理では、画像データを文字コードデータに変換する。
【０００３】
ＭＦＰでスキャンしたデータをＯＣＲサーバーに送信し、ＯＣＲサーバーがＯＣＲ処理を実行するスキャンシステムが検討されている（例えば、特許文献１）。特許文献１のスキャンシステムでは、スキャンしたデータのうちフォーマットデータ部分を消去した上で、残った文字列をＯＣＲ処理している。
【先行技術文献】
【特許文献】
【０００４】
【特許文献１】特開２０１８−１６０８９７号公報
【発明の概要】
【発明が解決しようとする課題】
【０００５】
近年、ＭＦＰにおいてＯＣＲ処理を行うことも検討されている。しかしながら、ＭＦＰにおいてＯＣＲ処理が可能である場合、ＯＣＲ処理可能なＭＦＰとＯＣＲ処理可能なサーバーとをどのように連動させるかは明らかでない。
【０００６】
本発明は上記課題に鑑みてなされたものであり、その目的は、画像データから文字コードデータへの変換結果を効率的に利用可能な情報処理システムを提供することにある。
【課題を解決するための手段】
【０００７】
本発明による情報処理システムは、画像読取装置と、情報処理装置とを備える。画像読取装置は、原稿を読み取って対象画像データを生成する。前記情報処理装置は、前記対象画像データを処理する。前記画像読取装置は、画像データを文字コードデータに変換可能な前変換処理部を含む。前記情報処理装置は、画像データを文字コードデータに変換可能な後変換処理部を含む。前記情報処理装置は、前記前変換処理部によって前記対象画像データを変換した文字コードデータを前記画像読取装置から受信した場合、前記後変換処理部が前記対象画像データを文字コードデータに変換せず、前記前変換処理部によって前記対象画像データを変換した文字コードデータを前記画像読取装置から受信しなかった場合、前記後変換処理部が前記対象画像データを文字コードデータに変換する。
【発明の効果】
【０００８】
本発明によれば、画像データから文字コードデータへの変換結果を効率的に利用できる。
【図面の簡単な説明】
【０００９】
【図１】本実施形態の情報処理システムの模式図である。
【図２】本実施形態の情報処理システムの模式的なブロック図である。
【図３】本実施形態の情報処理システムにおける情報処理装置のフロー図である。
【図４】本実施形態の情報処理システムの模式的なブロック図である。
【図５】本実施形態の情報処理システムにおける情報処理装置のフロー図である。
【図６】本実施形態の情報処理システムの模式的なブロック図である。
【図７】本実施形態の情報処理システムにおける領域の指定された画像データの模式図である。
【図８】本実施形態の情報処理システムの模式的なブロック図である。
【図９】（ａ）〜（ｃ）は、本実施形態の情報処理システムにおける画像読取装置の表示部の表示画面を示す模式図である。
【図１０】本実施形態の情報処理システムにおける画像読取装置による情報処理のフロー図である。
【図１１】本実施形態の情報処理システムの模式的なブロック図である。
【図１２】（ａ）および（ｂ）は、本実施形態の情報処理システムにおける画像読取装置の表示部の表示画面を示す模式図である。
【図１３】本実施形態の情報処理システムの模式図である。
【発明を実施するための形態】
【００１０】
以下、図面を参照して本発明の実施形態を説明する。なお、図中、同一または相当部分については同一の参照符号を付して説明を繰り返さない。
【００１１】
まず、図１を参照して、本実施形態の情報処理システム１００の構成を説明する。図１は、情報処理システム１００の模式図である。情報処理システム１００は、画像読取装置１０と、情報処理装置２０とを備える。
【００１２】
画像読取装置１０および情報処理装置２０はネットワークＮで接続されている。ネットワークＮは、ローカル・エリア・ネットワーク（Ｌｏｃａｌ  Ａｒｅａ  Ｎｅｔｗｏｒｋ：ＬＡＮ）であってもよく、ワイド・エリア・ネットワーク（Ｗｉｄｅ  Ａｒｅａ  Ｎｅｔｗｏｒｋ：ＷＡＮ）であってもよい。あるいは、ネットワークＮは、インターネットであってもよい。
【００１３】
画像読取装置１０は、原稿を読み取って対象画像データＯＧを生成する。画像読取装置１０は、対象画像データＯＧを情報処理装置２０に送信する。
【００１４】
対象画像データＯＧのファイル形式は特に限定されない。例えば、対象画像データＯＧのファイル形式は、ポータブル・ドキュメント・フォーマット（Ｐｏｒｔａｂｌｅ  Ｄｏｃｕｍｅｎｔ  Ｆｏｒｍａｔ：ＰＤＦ）、ポータブル・ネットワーク・グラフィックス（Ｐｏｒｔａｂｌｅ  Ｎｅｔｗｏｒｋ  Ｇｒａｐｈｉｃｓ：ＰＮＧ）、タグドイメージファイルフォーマット（Ｔａｇｇｅｄ  Ｉｍａｇｅ  Ｆｉｌｅ  Ｆｏｒｍａｒｔ：ＴＩＦＦ）またはジョイントフォトグラフィックエキスパーツグループ（Ｊｏｉｎｔ  Ｐｈｏｔｏｇｒａｐｈｉｃ  Ｅｘｐｅｒｔｓ  Ｇｒｏｕｐ：ＪＰＥＧ）のいずれであってもよい。
【００１５】
情報処理装置２０は、画像読取装置１０から対象画像データＯＧを受信する。ここでは、対象画像データＯＧの送信元は、画像読取装置１０である。
【００１６】
情報処理装置２０は、対象画像データＯＧを処理する。情報処理装置２０は、対象画像データＯＧを文字コードデータに変換する。情報処理装置２０は、光学文字認識（Ｏｐｔｉｃａｌ  Ｃｈａｒａｃｔｅｒ  Ｒｅｃｏｇｎｉｔｉｏｎ：ＯＣＲ）処理により、対象画像データＯＧを文字コードデータＣＤに変換する。例えば、情報処理装置２０はサーバーである。文字コードデータＣＤは、言語、数字または記号を示すデータである。
【００１７】
文字コードデータＣＤのファイル形式は特に限定されない。例えば、文字コードデータＣＤのファイル形式は、エクステンシブル・マークアップ・ランゲージ（Ｅｘｔｅｎｓｉｂｌｅ  Ｍａｒｋｕｐ  Ｌａｎｇｕａｇｅ：ＸＭＬ）、ＰＤＦ、文書作成ソフトウェア、表計算ソフトウェアおよびプレゼンテーションソフトウェアのいずれであってもよい。
【００１８】
例えば、情報処理装置２０は、文字コードデータＣＤを保存する。情報処理装置２０自身が、文字コードデータを記憶してもよい。または、情報処理装置２０は、別の記憶装置が文字コードデータを記憶するように文字コードデータを送信してもよい。例えば、情報処理装置２０は、文字コードデータを画像読取装置１０に送信してもよい。あるいは、情報処理装置２０は、文字コードデータを別の機器にファクスしてもよい。
【００１９】
情報処理装置２０は、画像読取装置１０と連動して動作してもよい。例えば、画像読取装置１０には、情報処理装置２０を駆動するためのアプリケーションソフトウェアがインストールされていてもよい。画像読取装置１０のアプリケーションソフトウェアの起動により、画像読取装置１０は、情報処理装置２０と連動して動作する。
【００２０】
情報処理システム１００は、情報処理装置３０をさらに備えてもよい。情報処理装置３０はネットワークＮに接続されている。情報処理装置２０は、情報処理装置３０に文字コードデータＣＤを送信できる。情報処理装置３０は、文字コードデータＣＤを処理する。情報処理装置３０は、例えば、パーソナルコンピューター（Ｐｅｒｓｏｎａｌ  Ｃｏｍｐｕｔｅｒ：ＰＣ）またはスマートフォン（Ｓｍａｒｔ  Ｐｈｏｎｅ）を含む。
【００２１】
次に、図１および図２を参照して、本実施形態の情報処理システム１００を説明する。図２は、本実施形態の情報処理システム１００のブロック図である。
【００２２】
画像読取装置１０は、読取部１２と、前変換処理部１４と、通信部１６と、制御部１７とを備える。制御部１７は、読取部１２、前変換処理部１４および通信部１６を制御する。制御部１７は、プロセッサーを含む。プロセッサーは、中央処理演算機（Ｃｅｎｔｒａｌ  ＰｒｏｃｅｓｓｉｎｇＵｎｉｔ：ＣＰＵ）を含んでもよい。あるいは、プロセッサーは、マイクロコンピューターを含んでもよい。または、プロセッサーは、特定用途用集積回路（ａｐｐｌｉｃａｔｉｏｎ  ｓｐｅｃｉｆｉｃ  ｉｎｔｅｇｒａｔｅｄ  ｃｉｒｃｕｉｔ：ＡＳＩＣ）を含んでもよい。
【００２３】
読取部１２は、原稿を読み取って画像データを生成可能である。読取部１２は、原稿を読み取って対象画像データＯＧを生成する。
【００２４】
前変換処理部１４は、画像データを文字コードデータに変換できる。例えば、前変換処理部１４は、対象画像データＯＧを文字コードデータに変換できる。なお、本明細書において、前変換処理部１４によって変換された文字コードデータを前文字コードデータまた文字コードデータＲＣＤと記載することがある。また、本明細書において、前変換処理部１４による変換処理を前変換処理と記載することがある。
【００２５】
典型的には、前変換処理部１４が画像データを文字コードデータに変換する場合、前変換処理の認識率も生成される。認識率は、前変換処理部１４によって適切に変換されたと認識された文字の割合を示す。認識率が高い場合、前変換処理は誤りなく適切に変換されていることが多い。本明細書において、前変換処理部１４による認識率を前認識率と記載することがある。
【００２６】
通信部１６は、外部の電子機器と通信する。ここでは、通信部１６は、対象画像データＯＧを情報処理装置２０に送信する。また、前変換処理部１４が文字コードデータＲＣＤを生成した場合、通信部１６は、対象画像データＯＧとともに文字コードデータＲＣＤを情報処理装置２０に送信する。
【００２７】
情報処理装置２０は、後変換処理部２２と、通信部２６と、制御部２７と、記憶部２７ｓとを備える。制御部２７は、後変換処理部２２と、通信部２６とを制御する。制御部２７は、プロセッサーを含む。プロセッサーは、ＣＰＵ、マイクロコンピューターまたは特定用途用集積回路を含んでもよい。
【００２８】
後変換処理部２２は、画像データを文字コードデータに変換できる。例えば、後変換処理部２２は、対象画像データＯＧを文字コードデータに変換できる。なお、本明細書において、後変換処理部２２によって変換された文字コードデータを後文字コードデータまたは文字コードデータＯＣＤと記載することがある。また、本明細書において、後変換処理部２２による変換処理を後変換処理と記載することがある。
【００２９】
典型的には、後変換処理部２２が画像データを文字コードデータに変換する場合、後変換処理の認識率も生成される。本明細書において、後変換処理部２２による認識率を後認識率と記載することがある。
【００３０】
前変換処理部１４および後変換処理部２２は、いずれも画像データを文字コードデータに変換する。例えば、前変換処理部１４は、ある対象画像データを日本語の文字コードデータに変換する。同様に、後変換処理部２２は、同じ対象画像データを日本語の文字コードデータに変換する。
【００３１】
ただし、対象画像データが同じであり、後変換処理部２２が前変換処理部１４と同種の変換処理をした場合でも、後変換処理部２２の変換処理は、前変換処理部１４の変換処理と同じではなく、文字コードデータＯＣＤは、文字コードデータＲＣＤと同じにならないことがある。例えば、後変換処理部２２の変換処理は通常レベルであり、前変換処理部１４の変換処理は、後変換処理部２２の変換処理よりも優れている。一例では、前変換処理部１４は、後変換処理部２２の変換処理では正しく変換できない画像データであっても、適切に変換できる。この場合、前認識率は後認識率よりも高い。あるいは、前変換処理部１４の変換処理は通常レベルであり、後変換処理部２２の変換処理は後変換処理部２２の変換処理よりも優れていてもよい。
【００３２】
制御部２７は、後変換処理部２２が対象画像データを後文字コード変換するかを制御する。制御部２７は、画像読取装置１０から文字コードデータＲＣＤを受信しなかった場合、後変換処理部２２が対象画像データＯＧを文字コードデータＯＣＤに変換するように制御する。あるいは、制御部２７は、画像読取装置１０から文字コードデータＲＣＤを受信した場合、後変換処理部２２が対象画像データＯＧを文字コードデータＯＣＤに変換しないように制御する。
【００３３】
例えば、制御部２７は、情報処理装置２０が対象画像データＯＧを受信する前に予め定められた手順に従って後変換処理部２２が対象画像データを変換するかを制御してもよい。一例では、制御部２７は、情報処理装置２０が対象画像データＯＧを受信する前に予め定められた手順に従って後変換処理部２２が対象画像データを変換するかを選択してもよい。
【００３４】
なお、制御部２７は、文字コードデータＲＣＤを受信した場合でも、後変換処理部２２が対象画像データＯＧを文字コードデータＯＣＤに変換するように制御してもよい。例えば、制御部２７は、画像読取装置１０から受信した前認識率が所定の条件を満たさない場合、後変換処理部２２による後変換処理を行ってもよい。この場合、制御部２７は、後変換処理部２２の後認識率と前認識率とを比較してより大きい認識率に対応する文字コードデータを選択してもよい。
【００３５】
記憶部２７ｓは、制御プログラムを記憶する。制御プログラムは、非一時的コンピューター読取可能記憶媒体に記憶される。非一時的コンピューター読取可能記憶媒体は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ−ＲＯＭ，磁気テープ、磁気ディスクまたは光データ記憶装置を含む。制御部２７は、記憶部２７ｓに記憶された制御プログラムを実行することによって、情報処理装置２０の各構成要素の動作を制御する。
【００３６】
本実施形態の情報処理システムによれば、前変換処理部１４および後変換処理部２２の少なくとも一方が対象画像データＯＧを文字コードデータに変換する。例えば、前変換処理部１４および後変換処理部２２は、費用または使用料に基づいて選択されてもよい。あるいは、前変換処理部１４および後変換処理部２２は認識率に基づいて選択されてもよい。
【００３７】
なお、対象画像データおよび／または文字コードデータの種類にかかわらず、前認識率と後認識率との大小関係は、一定であってもよい。例えば、対象画像データおよび／または文字コードデータの種類にかかわらず、前認識率が後認識率よりも大きい場合、前変換処理部１４の性能は、後変換処理部２２の性能よりも優れている。
【００３８】
なお、前認識率と後認識率との大小関係は、対象画像データおよび／または文字コードデータの種類に応じて変化してもよい。例えば、対象画像データを日本語の文字コードデータに変換する場合、後認識率は前認識率よりも高く、対象画像データを英語の文字コードデータに変換する場合、前認識率は後認識率よりも高くてもよい。
【００３９】
また、後変換処理部２２の使用条件は、前変換処理部１４の使用条件と異なってもよい。例えば、後変換処理部２２は無償で使用可能であり、前変換処理部１４は有償で使用可能である。後変換処理部２２はライセンスなしで使用可能であり、前変換処理部１４はライセンスによって使用可能である。または、後変換処理部２２の使用料は安価であり、前変換処理部１４の使用料は高価である。あるいは、後変換処理部２２の使用料は定額制であり、前変換処理部１４の使用料は従量制である。
【００４０】
なお、前変換処理部１４および後変換処理部２２の使用料は、画像データの処理量（使用量）に応じて増大してもよく、画像データの処理量（使用量）にかかわらず一定であってもよい。例えば、前変換処理部１４および後変換処理部２２の使用料は、画像データの処理量（使用量）にかかわらず一定期間にわたって一定であってもよい。
【００４１】
典型的には、後変換処理部２２は、使用料の課されないものであってもよい。例えば、後変換処理部２２は、オープンソースを利用してもよい。
【００４２】
前変換処理部１４は、使用料の課されるものであってもよい。例えば、前変換処理部１４は、ベンダーの開発したソフトウェアであってもよい。
【００４３】
例えば、重要度の比較的低い原稿を対象とする場合、制御部２７は、ユーザーの設定に基づいて、使用料の安い情報処理部を選択してもよい。あるいは、重要度の比較的高い原稿を対象とする場合、制御部２７は、ユーザーの設定に基づいて、認識率の情報処理部を選択してもよい。さらには、ユーザーは、状況に応じて選択する情報処理部を設定したい場合には、制御部２７は、変換処理ごとに使用する情報処理部をユーザーに問合せ、ユーザーからの指示にしたがって、情報処理部を選択してもよい。あるいは、制御部２７は、ユーザーの予め決めた希望設定条件に基づいて、情報処理部を選択してもよい。
【００４４】
例えば、後変換処理部２２は、画像データを数字および／またはアルファベットの文字コードデータに高い認識率で変換できる一方で、画像データを別の文字コードデータに高い認識率では変換できなくてもよい。また、前変換処理部１４は、画像データを数字および／またはアルファベットの文字コードデータに高い認識率で変換できてもよい。このように、後変換処理部２２は、マルチバイト文字への変換が不充分であるのに対して、前変換処理部１４は、マルチバイト文字への変換が充分であってもよい。
【００４５】
なお、後変換処理部２２は、画像データから文字コードデータに変換する際に、文字コードデータの認識率を取得することが好ましい。後変換処理部２２が画像データから文字コードデータに変換する際に正しい変換を行うほど文字コードデータの認識率が高くなる。
【００４６】
例えば、対象画像データで示されている文字の言語が、後変換処理部２２自身のデータベースに蓄積された文字の言語と同じ場合、後変換処理部２２における文字コードデータの認識率は高い。反対に、対象画像データで示されている文字の言語が、後変換処理部２２自身のデータベースに蓄積された文字の言語と異なる場合、後変換処理部２２における文字コードデータの認識率は低い。同様に、第２変換処理部２２ｂは、画像データから文字コードデータに変換する際に、文字コードデータの認識率を取得することが好ましい。
【００４７】
例えば、前変換処理部１４は、後変換処理部２２と比べて高精度に変換処理できる一方で、前変換処理部１４の使用料は後変換処理部２２の使用料よりも高いことがある。一例では、第２変換処理部２２ｂの使用料は使用量に応じて定められている一方で、情報処理装置２０のユーザーであれば、後変換処理部２２は制限なく使用可能であってもよい。
【００４８】
前変換処理部１４および後変換処理部２２は、画像データを変換した文字コードデータのうちの一部をメタデータとして抽出してもよい。また、文字コードデータ自体は、ファイルとして保存してもよく、ファイルとして保存しなくてもよい。また、ファイルとして保存する場合、抽出したメタデータをファイル名として付してもよい。
【００４９】
次に、図１〜図３を参照して、本実施形態の情報処理システム１００における情報処理装置２０のフロー図を説明する。図３は、本実施形態の情報処理システム１００における情報処理装置２０のフロー図である。
【００５０】
ステップＳ１０２において、情報処理装置２０は画像読取装置１０から対象画像データを受信する。画像読取装置１０は、原稿を読み取って対象画像データＯＧを生成し、対象画像データＯＧを情報処理装置２０に送信する。情報処理装置２０は、対象画像データを画像読取装置１０から受信する。詳細には、情報処理装置２０の通信部２６は、画像読取装置１０の通信部１６から対象画像データを受信する。
【００５１】
対象画像データＯＧは、画像読取装置１０において原稿Ｒを読み取って生成されたものである。画像読取装置１０の読取部１２は、原稿Ｒを読み取ることで対象画像データを生成する。その後、画像読取装置１０は、対象画像データを情報処理装置２０に送信する。
【００５２】
上述したように、画像読取装置１０は、対象画像データＯＧを前変換処理できる。詳細には、画像読取装置１０の前変換処理部１４は、対象画像データから文字コードデータＲＣＤを生成してもよい。このように、前変換処理部１４は、対象画像データに対して前変換処理してもよい。
【００５３】
前変換処理部１４が前変換処理する場合、画像読取装置１０は、対象画像データとともに文字コードデータＣＤを情報処理装置２０に送信する。なお、画像読取装置１０は、対象画像データＯＧおよび文字コードデータＲＣＤを同時に情報処理装置２０に送信してもよい。あるいは、画像読取装置１０は、対象画像データＯＧおよび文字コードデータＲＣＤを別々に情報処理装置２０に送信してもよい。
【００５４】
ステップＳ１０４において、情報処理装置２０は、画像読取装置１０から文字コードデータＲＣＤを受信した否かを判定する。詳細には、情報処理装置２０の制御部２７は、文字コードデータＲＣＤを受信した否かを判定する。
【００５５】
文字コードデータＲＣＤを受信していない場合（ステップＳ１０４においてＮｏ）、ステップＳ１０６において、後変換処理部２２は、対象画像データＯＧを文字コードデータＯＣＤに変換する。
【００５６】
その後、ステップＳ１０８ａにおいて、記憶部２７ｓは、文字コードデータＯＣＤを記憶する。記憶部２７ｓは、文字コードデータＯＣＤとともに対象画像データＯＧを記憶してもよい。また、記憶部２７ｓは、文字コードデータＯＣＤの一部をメタデータとして記憶してもよい。その後、処理を終了する。
【００５７】
文字コードデータＲＣＤを受信した場合（ステップＳ１０４においてＹｅｓ）、ステップＳ１０８ｂにおいて、記憶部２７ｓは、文字コードデータＲＣＤを記憶する。記憶部２７ｓは、文字コードデータＲＣＤとともに対象画像データＯＧを記憶してもよい。また、記憶部２７ｓは、文字コードデータＲＣＤの一部をメタデータとして記憶してもよい。
【００５８】
なお、文字コードデータＲＣＤを受信した場合、後変換処理部２２は、対象画像データＯＧを文字コードデータに後変換処理しない。ただし、制御部２７は、対象画像データＯＧに対して後変換処理以外の処理を行ってもよい。その後、処理を終了する。
【００５９】
図３を参照して上述したように、本実施形態によれば、情報処理装置２０は、画像読取装置１０から文字コードデータＲＣＤを受信した場合には対象画像データＯＧを後変換処理せずに文字コードデータＲＣＤを使用する。また、画像読取装置１０から文字コードデータＲＣＤを受信しなかった場合には対象画像データＯＧを文字コードデータＯＣＤに変換する。このため、本実施形態によれば、画像データから文字コードデータへの変換結果を効率的に利用できる。
【００６０】
なお、図１〜図３を参照した上述の説明では、後変換処理部２２は、対象画像データＯＧを１種類の文字コードデータに変換可能であったが、本実施形態はこれに限定されない。後変換処理部２２は、対象画像データＯＧを複数種類の文字コードデータに変換可能であってもよい。
【００６１】
次に、図４を参照して、本実施形態の情報処理システム１００を説明する。図４は、本実施形態の情報処理システム１００の模式的なブロック図である。図４の情報処理システム１００は、後変換処理部２２が第１変換処理部２２ａ、第２変換処理部２２ｂおよび選択部２２ｃを含む点を除いて図２を参照して上述した情報処理システム１００と同様の構成を有している。このため、冗長を避けるために重複する説明を省略する。
【００６２】
後変換処理部２２は、第１変換処理部２２ａと、第２変換処理部２２ｂと、選択部２２ｃとを含む。第１変換処理部２２ａは、画像データを文字コードデータに変換できる。第２変換処理部２２ｂは、画像データを文字コードデータに変換できる。なお、第２変換処理部２２ｂによる変換処理は、第１変換処理部２２ａによる変換処理とは異なる。また、第１変換処理部２２ａによる変換処理および第２変換処理部２２ｂによる変換処理は、前変換処理部１４による変換処理とも異なる。
【００６３】
第１変換処理部２２ａは、画像データを文字コードデータに変換できる。例えば、第１変換処理部２２ａは、対象画像データＯＧを文字コードデータに変換できる。なお、本明細書において、第１変換処理部２２ａによって変換された文字コードデータを第１文字コードデータまたは文字コードデータＣＤ１と記載することがある。また、本明細書において、第１変換処理部２２ａによる変換処理を第１変換処理と記載することがある。
【００６４】
典型的には、第１変換処理部２２ａが画像データを文字コードデータに変換する場合、第１変換処理の認識率も生成される。本明細書において、第１変換処理部２２ａによる認識率を第１認識率と記載することがある。
【００６５】
第２変換処理部２２ｂは、画像データを文字コードデータに変換できる。例えば、第２変換処理部２２ｂは、対象画像データＯＧを文字コードデータに変換できる。本明細書において、第２変換処理部２２ｂによって変換された文字コードデータを第２文字コードデータまたは文字コードデータＣＤ２と記載することがある。また、本明細書において、第２変換処理部２２ｂによる変換処理を第２変換処理と記載することがある。
【００６６】
第２変換処理部２２ｂが画像データを文字コードデータに変換する場合、第２変換処理の認識率も生成される。本明細書において、第２変換処理部２２ｂによる認識率を第２認識率と記載することがある。
【００６７】
第１変換処理部２２ａおよび第２変換処理部２２ｂは、いずれも画像データを文字コードデータに変換する。例えば、第１変換処理部２２ａは、ある対象画像データを日本語の文字コードデータに変換する。同様に、第２変換処理部２２ｂは、同じ対象画像データを日本語の文字コードデータに変換する。
【００６８】
ただし、対象画像データが同じであり、第１変換処理部２２ａが第２変換処理部２２ｂと同種の変換処理をした場合でも、第１変換処理部２２ａの変換処理は、第２変換処理部２２ｂの変換処理と同じではなく、文字コードデータＣＤ１は、文字コードデータＣＤ２と同じではない。例えば、第１変換処理部２２ａの変換処理は通常レベルであり、第２変換処理部２２ｂの変換処理は、第１変換処理部２２ａの変換処理よりも優れている。一例では、第２変換処理部２２ｂは、第１変換処理部２２ａの変換処理では正しく変換できない画像データであっても、適切に変換できる。
【００６９】
選択部２２ｃは、第１変換処理部２２ａおよび第２変換処理部２２ｂのいずれが対象画像データを変換するかを選択する。例えば、選択部２２ｃは、情報処理装置２０が対象画像データＯＧを受信する前に予め定められた手順に従って第１変換処理部２２ａおよび第２変換処理部２２ｂのいずれが対象画像データを変換するかを選択してもよい。一例では、選択部２２ｃは、情報処理装置２０が対象画像データＯＧを受信する前に予め定められた手順に従って第１変換処理部２２ａおよび第２変換処理部２２ｂのいずれが対象画像データを変換するかを選択してもよい。
【００７０】
あるいは、選択部２２ｃは、対象画像データＯＧを生成する画像読取装置１０のユーザーからの指定に従って第１変換処理部２２ａおよび第２変換処理部２２ｂのいずれが対象画像データを変換するかを選択してもよい。例えば、画像読取装置１０は、原稿を読み取って対象画像データを生成し、対象画像データを情報処理装置２０に送信する直前、同時または直後に、第１変換処理部２２ａおよび第２変換処理部２２ｂのいずれが対象画像データを変換するかを指定する。その後、画像読取装置１０からの指定に従って、選択部２２ｃは、第１変換処理部２２ａおよび第２変換処理部２２ｂのいずれが対象画像データを変換するかを選択してもよい。
【００７１】
第１変換処理部２２ａおよび第２変換処理部２２ｂの少なくとも一方は、選択部２２ｃの選択結果に基づいて、対象画像データＯＧを文字コードデータに変換する。例えば、選択部２２ｃが第１変換処理部２２ａを選択する場合、第１変換処理部２２ａは、対象画像データＯＧを文字コードデータＣＤ１に変換する。あるいは、選択部２２ｃが第２変換処理部２２ｂを選択する場合、第２変換処理部２２ｂは、対象画像データＯＧを文字コードデータＣＤ２に変換する。
【００７２】
なお、選択部２２ｃは、第１変換処理部２２ａおよび第２変換処理部２２ｂのいずれかを複数回選択してもよい。例えば、選択部２２ｃは、先に、第１変換処理部２２ａおよび第２変換処理部２２ｂの一方を選択し、変換結果が所定の条件を満たさない場合、後で、第１変換処理部２２ａおよび第２変換処理部２２ｂの他方を選択してもよい。
【００７３】
次に、図１、図４および図５を参照して、本実施形態の情報処理システム１００における情報処理装置２０のフロー図を説明する。図５は、本実施形態の情報処理システム１００における情報処理装置２０のフロー図である。図５のフロー図は、ステップＳ１０６ａ〜ステップ１０６ｃ、ステップ１０８ａ１およびステップ１０８ａ２を含む点を除いて図３を参照して上述した情報処理システム１００のフロー図と同様である。このため、冗長を避けるために重複する説明を省略する。
【００７４】
画像読取装置１０から対象画像データに対応する文字コードデータを受信していない場合（ステップＳ１０４においてＮｏ）、ステップＳ１０６ａにおいて、第１変換処理部２２ａは、対象画像データＯＧを文字コードデータＣＤ１に変換する。変換時には、第１変換処理部２２ａによる変換処理における第１認識率が取得される。
【００７５】
その後、ステップＳ１０６ｂにおいて、情報処理装置２０は、第１認識率が閾値よりも高いか否か判定する。詳細には、情報処理装置２０の制御部２７は、第１認識率と閾値とを比較して、第１認識率が閾値よりも高いか否か判定する。
【００７６】
第１認識率が閾値よりも高いと判定される場合（ステップＳ１０６ｂにおいてＹｅｓ）、処理は、ステップＳ１０８ａ１に進む。ステップＳ１０８ａ１において、記憶部２７ｓは、文字コードデータＣＤ１を記憶する。
【００７７】
第１認識率が閾値よりも高くないと判定される場合（ステップＳ１０６ｂにおいてＮｏ）、ステップＳ１０６ｃにおいて、第２変換処理部２２ｂは、対象画像データＯＧを文字コードデータＣＤ２に変換する。その後、ステップＳ１０８ａ２に進む。なお、ステップＳ１０８ａ２において、記憶部２７ｓは、文字コードデータＣＤ２を記憶する。以降は、図３を参照して上述した説明と同様であるため、省略する。
【００７８】
以上のように、図５を参照した本実施形態によれば、情報処理装置２０が画像読取装置１０から文字コードデータを受信しなかった場合でも、複数種の変換処理部により、閾値よりも高い認識率の文字コードデータまたはより高い認識率の文字コードデータを生成できる。このため、より高精度な文字コードデータを利用できる。
【００７９】
なお、前変換処理部１４、後変換処理部２２、第１変換処理部２２ａおよび／または第２変換処理部２２ｂが対象画像データに対して変換処理を行う場合、前変換処理部１４、後変換処理部２２、第１変換処理部２２ａおよび／または第２変換処理部２２ｂは、対象画像データ全体に対して変換処理を行ってもよい。あるいは、前変換処理部１４、後変換処理部２２、第１変換処理部２２ａおよび／または第２変換処理部２２ｂは、対象画像データの特定された領域に対して変換処理を行ってもよい。この場合、特定の領域は、予め指定されていることが好ましい。
【００８０】
次に、図６を参照して、本実施形態の情報処理システム１００を説明する。図６は、情報処理システム１００の模式図である。図６の情報処理システム１００は、情報処理装置２０が領域指定部２４をさらに備える点を除いて、図２を参照して上述した情報処理システム１００と同様の構成を有している。このため、冗長を避けるために重複する説明を省略する。
【００８１】
情報処理装置２０は、後変換処理部２２、通信部２６、制御部２７および記憶部２７ｓに加えて、領域指定部２４をさらに備える。領域指定部２４は、対象画像データのうち変換処理を行う対象領域を指定する。典型的には、情報処理装置２０は、対象画像データを、原稿の頁ごとに分けて受信する。領域指定部２４は、原稿の頁に対応する対象画像データごとに変換処理を行う対象領域を指定する。
【００８２】
領域指定部２４は、画像読取装置１０から受信する対象画像データのすべてについて変換処理を行う対象領域を指定してもよい。あるいは、領域指定部２４は、対象画像データに応じて、変換処理を行う対象領域を指定してもよい。例えば、領域指定部２４は、画像読取装置１０からの指定信号に基づいて、対象画像データのうち変換処理を行う対象領域を指定してもよい。
【００８３】
例えば、変換処理を行う対象領域が指定された場合、後変換処理部２２は、対象画像データのうちの指定された対象領域について文字コードに変換する。
【００８４】
なお、画像読取装置１０が原稿を読み取る場合、同じ原稿であっても、生成された画像データが同一にならないことがある。例えば、画像読取装置１０において原稿自動送り装置（Ａｕｔｏ  Ｄｏｃｕｍｅｎｔ  Ｆｅｅｄｅｒ：ＡＤＦ）を利用して原稿を読み取る場合、読み取り状況に応じて画像データが変動することがある。このため、原稿には特定の基準マークが付されており、情報処理装置２０は、基準マークを基準として対象画像データのうちの対象領域を指定してもよい。
【００８５】
以下、図６および図７を参照して、本実施形態の情報処理システム１００における情報処理装置２０の領域指定について説明する。図７は、領域の指定された対象画像データを示す模式図である。ここでは、原稿は請求書であり、対象画像データは、請求書を読み取ったものである。
【００８６】
図７に示すように、対象画像データには領域Ｒ１、Ｒ２が指定されている。領域Ｒ１は、請求書の請求先欄に対応して指定されている。また、領域Ｒ２は、請求書の請求額に対応して指定されている。
【００８７】
情報処理装置２０の後変換処理部２２が領域Ｒ１について変換処理することにより、請求先を示す文字コードデータを生成できる。また、後変換処理部２２が領域Ｒ２について変換処理することにより、請求額を示す文字コードデータを生成できる。
【００８８】
なお、原稿の請求書には基準マークＭが記載されているため、領域指定部２４は、基準マークＭを基準にして、対象画像データに対して領域Ｒ１、Ｒ２を設定できる。このため、原稿を読み取る際に画像データが多少変動しても、確実に所定の領域を変換処理できる。
【００８９】
なお、対象画像データの変換処理を行う対象領域を指定する場合、原稿が予め対象領域に対応していたものとは異なると、対象領域についての変換処理結果は実質的な意味をなさないことがある。例えば、後変換処理部２２が領域指定部２４で指定された対象領域について変換処理を行った結果、認識率が低い場合、対象画像データの元となった原稿が所定のものではない可能性がある。このため、記憶部２７ｓは、認識率の低い文字コードデータと、認識率の高い文字コードデータとを分けて記憶し、情報処理装置２０は、認識率の高い文字コードデータのみを出力してもよい。
【００９０】
なお、図６〜図８を参照して上述した説明では、情報処理装置２０が領域指定部２４を備えたが、本実施形態はこれに限定されない。画像読取装置１０が領域指定部２４と同様の機能を有する領域指定部を備え、画像読取装置１０において、原稿の画像データに対して特定の対象領域について文字コードデータに変換されてもよい。
【００９１】
また、画像読取装置１０において生成された画像データに対する処理の流れ（ワークフロー）は、画像読取装置１０において設定されてもよい。例えば、ワークフローの設定により、書類に応じて文字コードデータを記憶するフォルダーを異ならせることができる。
【００９２】
一例では、個人ＩＤとともに個人情報の記載された複数の書類を画像読取装置１０において読み取って複数の対象画像データを生成することにより、個人ＩＤに応じて作成された複数のフォルダーに複数の書類に記載された個人情報に対応する電子データを個別に保存することができる。
【００９３】
また、ワークフローにより、請求先、請求書番号、請求項目および請求額の記載された複数の請求書を画像読取装置１０において読み取った複数の対象画像データの記憶場所を設定することにより、請求先に応じて作成された複数のフォルダーに複数の書類に記載された請求書関連情報に対応する文字コードデータを個別に保存することができる。
【００９４】
なお、図１〜図６を参照した上述の説明では、制御部１７は、予め定められた手順に従って前変換処理部１４が文字コードデータＲＣＤを生成したが、本実施形態はこれに限定されない。ユーザーからの指定に基づいて、前変換処理部１４が文字コードデータＲＣＤを生成してもよい。
【００９５】
次に、図８を参照して、本実施形態の情報処理システム１００を説明する。図８は、情報処理システム１００の模式図である。情報処理システム１００は、画像読取装置１０と、情報処理装置２０とを備える。図８の情報処理システム１００は、画像読取装置１０が表示部１８および入力部１８ａをさらに備える点を除いて、図８を参照して上述した情報処理システム１００と同様の構成を有している。このため、冗長を避けるために重複する説明を省略する。
【００９６】
画像読取装置１０は、読取部１２、通信部１６および制御部１７に加えて、表示部１８と、入力部１８ａとを備える。制御部１７は、読取部１２、通信部１６、表示部１８および入力部１８ａを制御する。
【００９７】
表示部１８は、ディスプレーを有する。例えば、ディスプレーは液晶ディスプレーまたは有機ＥＬディスプレーを含む。
【００９８】
入力部１８ａは、ユーザーの指示の入力を受け付ける。入力部１８ａは、キーボードおよびマウスを含む。あるいは、入力部１８ａは、タッチセンサーを含み得る。なお、表示部１８および入力部１８ａは、両者の一体化されたタッチパネルであってもよい。
【００９９】
入力部１８ａは、原稿を読み取った対象画像データＯＧを変換する変換処理部を指定するための情報を入力できる。ユーザーは、入力部１８ａにより、前変換処理部１４が対象画像データＯＧを変換処理するように指定できる。
【０１００】
あるいは、ユーザーは、入力部１８ａにより、情報処理装置２０の後変換処理部２２が対象画像データＯＧを変換処理するように後変換処理を指定できる。この場合、通信部１６は、情報処理装置２０の通信部２６に、後変換処理部２２が指定されたことを示す指定信号を送信してもよい。指定信号の送信は、対象画像データＯＧの送信の直前、同時、または直後であってもよい。
【０１０１】
情報処理装置２０は、後変換処理部２２と、通信部２６と、制御部２７と、記憶部２７ｓとを備える。記憶部２７ｓは、認識率情報２７ｔおよび閾値情報２７ｕを記憶する。
【０１０２】
認識率情報２７ｔは、変換処理ごとの認識率に分かれている。詳細には、認識率情報２７ｔは、前変換処理部１４による前認識率と、後変換処理部２２による後認識率とに分かれている。なお、記憶部２７ｓは、認識率情報２７ｔとして後認識率を記憶する一方で、前認識率は、画像読取装置１０に記憶されていてもよい。
【０１０３】
また、認識率情報２７ｔは、ワークフローごとの認識率に分かれていることが好ましい。この場合、原稿の書式が同じであるため、過去の認識率を用いた判定が妥当となる蓋然性が高い。
【０１０４】
閾値情報２７ｕは、ワークフローごとの閾値に分かれていることが好ましい。例えば、原稿に記載された多くの数字を変換処理する場合、閾値は低くてもよい。あるいは、原稿に記載された多くの文章を変換処理する場合、閾値は高いことが好ましい。このように、原稿に記載された文字の種類に応じて、用いる閾値を異ならせてもよい。なお、記憶部２７ｓは、閾値情報２７ｕとして後変換処理のための閾値情報を記憶する一方で、前変換処理のための閾値情報は、画像読取装置１０に記憶されていてもよい。
【０１０５】
本実施形態によれば、画像読取装置１０が、原稿を読み取った画像データを変換する変換処理部を選択できる。このため、画像読取装置１０のユーザーは、ユーザーの要望にしたがって原稿を読み取った画像データをいずれの変換処理部で変換処理するかを決定できる。
【０１０６】
画像読取装置１０は、ユーザーがいずれの変換処理部で変換処理をするかを指定する前に、ユーザーに変換処理についての情報を表示することが好ましい。表示部１８は、前変換処理および後変換処理の選択する前に変換処理についての情報を表示する。
【０１０７】
この場合、画像読取装置１０は、表示部１８が変換処理についての情報を表示する前に、変換処理についての情報を情報処理装置２０から読み出すことが好ましい。画像読取装置１０の通信部１６は、情報処理装置２０の通信部２６に、記憶部２７ｓの認識率情報２７ｔを送信するように要求する。通信部２６は、通信部１６からの要求にしたがって認識率情報２７ｔを通信部２６に送信する。このため、表示部１８は、認識率情報２７ｔを表示できる。
【０１０８】
次に、図１、図２、図８および図９を参照して本実施形態の画像読取装置１０における情報処理部の指定について説明する。図９（ａ）〜図９（ｃ）は、画像読取装置１０の表示部１８の表示画面の模式図である。
【０１０９】
図９（ａ）は、原稿Ｒの読取変換処理を開始する際の表示部１８の表示画面の模式図である。図９（ａ）に示すように、表示部１８の表示画面は、複数のブロックを表示する。表示部１８は、上方に左右方向に並んだ４つのブロックを表示するともに、下方に左右方向に並んだ４つのブロックを表示し、合計８つのブロックを表示する。上方左端のブロックには、ワークフロー１として「Ａ社請求書」と表示されている。ユーザーが入力部１８ａを介してこのブロックを選択すると、画像読取装置１０の通信部１６は情報処理装置２０の通信部２６と通信して、情報処理装置２０の記憶部２７ｓから「Ａ社請求書」に関する情報を読み出して、表示部１８の表示画面に表示する。
【０１１０】
なお、図９（ａ）に示すように、表示部１８の上方には、左端のブロックと同様に、左から順番に、ワークフロー２、ワークフロー３およびワークフロー４に対応するブロックが表示される。ワークフロー２は「Ａ社見積書」に対応し、ワークフロー３は「Ａ社発注書」に対応し、ワークフロー４は「Ｂ社請求書」に対応している。
【０１１１】
さらに、表示部１８の表示画面の下方には左から順番に、ワークフロー５、ワークフロー６、ワークフロー７、およびワークフロー８に対応するブロックが表示される。ワークフロー５は「Ｂ社見積書」に対応し、ワークフロー６は「Ｃ社見積書」に対応し、ワークフロー７は「交通費精算」に対応し、ワークフロー８は「領収書」に対応する。
【０１１２】
例えば、画像読取装置１０のユーザーが、交通費精算に関する原稿を読み取る場合、画像読取装置１０のユーザーは、入力部１８ａを介してワークフロー７のブロックを選択する。ワークフロー７のブロックが選択されると、通信部１６は、情報処理装置２０の通信部２６を介して、情報処理装置２０の記憶部２７ｓに記憶された交通費精算に関する認識率を読み出す。画像読取装置１０の表示部１８は、読み出した認識率を表示画面に表示する。
【０１１３】
図９（ｂ）は、ワークフロー７が選択された場合の表示部１８の表示画面を示す模式図である。図９（ｂ）に示すように、表示部１８は、変換処理情報、読取解像度、原稿サイズ、原稿向き、および、文字コードデータの出力先を設定するための表示画面を表示する。
【０１１４】
変換処理情報には、選択可能な変換処理部と、その費用および認識率を表示する。ここでは、情報処理装置２０は、使用毎に料金の課される前変換処理部１４および使用毎には料金の課されない後変換処理部２２を備えるため、表示部１８は、変換処理情報として前変換処理部１４および後変換処理部２２を表示しており、前変換処理部１４の横には「有償」と付されている。また、変換処理情報は、前変換処理部１４および後変換処理部２２が過去に交通費精算に関する原稿を読み取った際の平均認識率を含む。なお、平均認識率は、過去の交通費精算に関するすべての原稿の平均認識率であってもよい。あるいは、平均認識率は、過去の１カ月間の交通費精算に関する原稿の平均認識率であってもよい。
【０１１５】
図９（ｂ）では、前変換処理部１４の平均認識率は８０％であり、後変換処理部２２の平均認識率は７５％である。
【０１１６】
画像読取装置１０のユーザーは、変換処理情報から、前変換処理部１４および後変換処理部２２を選択できる。例えば、ユーザーは、前変換処理部１４に対応する領域をタッチすることにより、前変換処理を選択できる。また、ユーザーは、後変換処理部２２に対応する領域をタッチすることにより、後変換処理を選択できる。
【０１１７】
表示部１８は、読取解像度の候補として複数の読取解像度を表示する。読取解像度の候補は、３００×３００、６００×６００、１２００×１２００である。画像読取装置１０のユーザーは、読取解像度から、読取解像度を選択できる。例えば、ユーザーは、読取部１２の読取解像度として、３００×３００を選択できる。読取処理を行う場合、読取部１２は、選択された読取解像度で原稿を読み取って対象画像データを生成する。その後、対象画像データは、通信部１６から情報処理装置２０の通信部２６に送信される。
【０１１８】
表示部１８は、原稿サイズの候補を表示する。ここでは、原稿サイズの候補は、Ａ３、Ａ４、Ａ５である。画像読取装置１０のユーザーは、原稿サイズの候補から、原稿のサイズを選択する。例えば、原稿のサイズがＡ４である場合、ユーザーは、原稿のサイズとしてＡ４を選択する。読取処理を行う場合、読取部１２は、選択されたサイズで原稿を読み取って対象画像データを生成する。
【０１１９】
表示部１８は、原稿の向きを表示する。ここでは、原稿の向きは、縦または横である。原稿の向きが縦である場合、原稿の長手方向が、読取部１２の主走査方向に延びて配置されるように設定される。原稿の向きが横である場合、原稿の長手方向が、読取部１２の副走査方向に延びて配置されるように設定される。例えば、原稿の長手方向が主走査方向に沿って配置される場合、ユーザーは、原稿の向きを縦と選択する。読取処理を行う場合、読取部１２は、選択された向きおよびサイズの領域で原稿を読み取って対象画像データを生成する。
【０１２０】
表示部１８は、文字コードデータの出力先を表示する。情報処理装置２０において対象画像データから変換された文字コードデータは、指定された出力先に送信される。ここでは、文字コードデータは、電子メールにて、所定のアドレスに向けて出力される。
【０１２１】
上述したように、情報処理装置２０における後変換処理部２２は使用に応じて料金が課されない一方で、前変換処理部１４は使用に応じて料金が課されることがある。この場合、費用の増大を防ぐために、後変換処理部２２の過去の認識率が比較的高い場合、今回の原稿の画像データを後変換処理部２２で変換処理しても、認識率は比較的高くなる蓋然性が高い。この場合、前変換処理部１４が選択されないように、表示部１８は前変換処理部１４をグレーアウトに表示してもよい。
【０１２２】
図９（ｃ）は、ワークフロー１が選択された場合の表示部１８の表示画面を示す模式図である。図９（ｃ）は、選択されたワークフローおよび平均認識率を除き、図９（ｂ）と同様であるため、重複する説明を省略する。
【０１２３】
なお、図９（ｃ）では、前変換処理部１４の平均認識率は８５％であり、後変換処理部２２の平均認識率は８０％である。このように、ワークフロー１の「Ａ社請求書」では、後変換処理部２２の平均認識率が比較的高い。したがって前変換処理部１４を使用するまでもなく後変換処理部２２によって原稿の画像データを高い認識率で文字データに変換できる可能性が高い。このため、表示部１８は、前変換処理部１４をグレーアウトに表示している。これにより、画像読取装置１０のユーザーは、前変換処理部１４ではなく後変換処理部２２を選択するため、費用の発生を抑制できる。
【０１２４】
次に、図１、図８から図１０を参照して、本実施形態の画像読取装置１０による情報処理方法を説明する。図１０は、本実施形態の画像読取装置１０の情報処理方法のフロー図である。
【０１２５】
まず、ステップＳ２０２において、画像読取装置１０は、原稿の読取変換処理のための表示画面を表示する。詳細には、画像読取装置１０のユーザーが入力部１８ａに読取変換処理を開始するよう入力すると、表示部１８は、読取変換処理のための表示画面を表示する。例えば、表示部１８は、図９（ａ）に示した表示画面を表示する。
【０１２６】
ステップＳ２０４において、画像読取装置１０のユーザーは、読取変換処理のための表示画面のうちの特定のワークフローを選択する。
【０１２７】
ステップＳ２０６において、通信部１６は、特定のワークフローについての情報を読み出すように要求を情報処理装置２０に送信する。
【０１２８】
ステップＳ２０８において、通信部１６は、特定のワークフローについての情報を情報処理装置２０から受信する。例えば、通信部１６は、特定のワークフローについての平均認識率を受信する。
【０１２９】
ステップＳ２１０において、表示部１８は、特定のワークフローについての情報を表示する。例えば、表示部１８は、図９（ｂ）に示した表示画面を表示する。
【０１３０】
ステップＳ２１２において、制御部１７は、変換処理についてのユーザーの指定が入力部１８ａに入力されたか否かを判定する。入力部１８ａに入力がないと判定される場合（ステップＳ２１２においてＮｏ）、処理はステップＳ２１２に戻り、入力部１８ａに入力があるまで待機する。
【０１３１】
制御部１７が入力部に入力があると判定する場合（ステップＳ２１２においてＹｅｓ）、ステップＳ２１４に進む。
【０１３２】
ステップＳ２１４において、読取部１２は、入力部１８ａからの入力にしたがって原稿を読み取り、対象画像データを生成する。また、入力時に前処理変換処理が選択されると、前変換処理部１４は、前変換処理を行い、対象画像データＯＧから文字コードデータＲＣＤを生成する。
【０１３３】
ステップＳ２１６において、通信部１６は、対象画像データＯＧを情報処理装置２０に送信する。また、文字コードデータＲＣＤが生成された場合、通信部１６は、対象画像データＯＧとともに文字コードデータＲＣＤを情報処理装置２０に送信する。以上のようにして、画像読取装置１０による情報処理方法を終了する。
【０１３４】
このようにして、画像読取装置１０は、前変換処理または後変換処理を指定できる。その後、文字コードデータＲＣＤが送信されない場合、情報処理装置２０において、対象画像データＯＧを文字コードデータＯＣＤに変換する。例えば、情報処理装置２０は、図２を参照して上述したように、対象画像データを文字コードデータに変換する。したがって、画像読取装置１０のユーザーは、ユーザーの要望に応じて原稿を文字コードデータに変換できる。
【０１３５】
図８〜図１０を参照した上述の説明では、記憶部２７ｓは、前認識率および後認識率を記憶していたが、本実施形態はこれに限定されない。記憶部２７ｓは、前変換処理部１４による文字コードデータＲＣＤと後変換処理部２２による文字コードデータＯＣＤとの一致率を記憶していてもよい。
【０１３６】
以下、図１１を参照して本実施形態の情報処理システム１００を説明する。図１１は、本実施形態の情報処理システム１００の模式図である。図１１の情報処理システム１００は、情報処理装置２０が比較部２５をさらに備える点を除いて、図８を参照して上述した情報処理システム１００と同様の構成を有している。このため、冗長を避けるために重複する説明を省略する。
【０１３７】
情報処理装置２０は、後変換処理部２２、通信部２６、制御部２７、記憶部２７ｓに加えて比較部２５をさらに備える。比較部２５は、文字コードデータＣＤ１および文字コードデータＣＤ２が生成された場合に、文字コードデータＣＤ１と文字コードデータＣＤ２とを比較する。比較部２５は、比較結果に基づいて、文字コードデータＣＤ１と文字コードデータＣＤ２との一致率を生成する。文字コードデータＣＤ１が文字コードデータＣＤ２と等しい場合、一致率は１００％である。また、文字コードデータＣＤ１が文字コードデータＣＤ２と完全に異なる場合、一致率は０％である。
【０１３８】
記憶部２７ｓは、一致率情報２７ｖを記憶する。また、記憶部２７ｓは、一致率を判定するための閾値を記憶してもよい。一致率情報は、画像読取装置１０の表示部１８に表示されてもよい。
【０１３９】
図１２は、ワークフローが選択された場合の表示部１８の表示画面を示す模式図である。図１２に示すように、表示部１８は、変換処理情報、読取解像度、原稿サイズ、原稿向き、および、文字コードデータの出力先を設定するための表示画面を表示する。なお、図１２（ａ）および図１２（ｂ）の表示画面は、変換処理情報に一致率情報が表示されている点を除いて、図９（ｂ）および図９（ｃ）に示した表示画面と同様である。このため、冗長を避けるために重複する説明を省略する。
【０１４０】
図１２（ａ）は、ワークフロー７が選択された場合の表示部１８の表示画面を示す模式図である。図１２（ａ）に示すように、変換処理情報として一致率情報が表示されている。ここでは、一致率情報は、過去の交通費精算に関する書類を読み取った際の文字コードデータＣＤ１と文字コードデータＣＤ２との一致率を示す。図１２（ａ）において、一致率は９８％である。
【０１４１】
図１２（ｂ）は、ワークフロー１が選択された場合の表示部１８の表示画面を示す模式図である。図１２（ｂ）に示すように、変換処理情報として一致率情報が表示されている。ここでは、一致率情報は、過去のＡ社請求書に関する書類を読み取った際の文字コードデータＣＤ１と文字コードデータＣＤ２との一致率を示す。図１２（ｂ）において、一致率は１００％である。この場合、少なくとも過去のＡ社請求書に関しては、後変換処理部２２による後変換処理で充分であり、前変換処理部１４による前変換処理までは不要であったことが理解される。このように、画像読取装置１０のユーザーは、一致率の観点から後変換処理部２２ではなく前変換処理部１４を使用する意義があるか否かを判断できる。
【０１４２】
上述したように、一致率は１００％である場合、前変換処理部１４を使用するまでもない。このため、図１２（ｂ）に示すように、前変換処理部１４が選択されないように、表示部１８は前変換処理部１４をグレーアウトに表示してもよい。また、一致率が一致率閾値よりも高い場合、表示部１８は、前変換処理部１４をグレーアウトに表示してもよい。
【０１４３】
本実施形態によれば、画像読取装置１０のユーザーは、画像読取装置１０において原稿の対象画像データを変換処理するための情報処理部を指定できる。なお、上述の説明では、画像読取装置１０において指定された情報処理部が対象画像データを文字コードデータに変換したが、本実施形態はこれに限定されない。画像読取装置１０において指定された情報処理部が対象画像データを文字コードデータに変換して出力として用いる一方で、画像読取装置１０において指定されなかった情報処理部が対象画像データを文字コードデータに変換してもよい。
【０１４４】
なお、図１〜図１２を参照した上述の説明では、情報処理装置２０は、画像データを文字コードデータに変換したが、本実施形態はこれに限定されない。情報処理装置２０は、画像データの二次元コードを抽出して処理可能であってもよい。
【０１４５】
また、図１〜図１２を参照して上述した説明では、情報処理装置２０は、画像読取装置１０において原稿を読み取った対象画像データＯＧを受信したが、本実施形態はこれに限定されない。情報処理装置２０は、別の機器から対象画像データＯＧを受信してもよい。例えば、情報処理装置２０に対象画像データを送信する装置は、ファクス装置であってもよく、パーソナルコンピューター（Ｐｅｒｓｏｎａｌ  Ｃｏｍｐｕｔｅｒ：ＰＣ）またはスマートフォン（Ｓｍａｒｔ  Ｐｈｏｎｅ）等の別の情報処理装置であってもよい。また、情報処理装置２０は、電子メールに添付された画像データを処理してもよい。あるいは、情報処理装置２０は、ファクス通信を介して受信した画像データを処理してもよい。
【０１４６】
次に、図１および図１３を参照して、本実施形態の情報処理システムを説明する。図１３は、本実施形態の情報処理システム１００の模式図である。
【０１４７】
情報処理装置２０は、複合機、サーバーまたは情報処理端末から対象画像データＯＧを受信してもよい。また、情報処理装置２０は、電子メールとして対象画像データＯＧを受信してもよい。
【０１４８】
情報処理装置２０は、対象画像データＯＧを文字コードデータに変換可能であるとともに二次元コードを抽出して読み取り可能である。情報処理装置２０は、変換した文字コードデータおよび読み取った二次元コードに示されるデータを記憶する。また、情報処理装置２０は、変換した文字コードデータおよび読み取った二次元コードに示されるデータをメタデータとして記憶してもよい。例えば、データのフォーマットは、ＸＭＬ、ＰＤＦ、文書作成ソフトウェア、表計算ソフトウェアおよびプレゼンテーションソフトウェアのいずれの形式であってもよい。
【０１４９】
情報処理装置２０は、処理されたデータを所定の記憶素子に記憶してもよい。例えば、情報処理装置２０は、処理されたデータを情報処理装置２０の記憶素子に記憶してもよい。あるいは、情報処理装置２０は、処理されたデータを記憶可能な外部装置に処理されたデータを出力してもよい。または、情報処理装置２０は、処理されたデータを電子メールとして外部装置に送信してもよい。例えば、情報処理装置２０は、外部データベースまたはクラウトストレージに送信してもよい。あるいは、情報処理装置２０は、画像データを生成した画像読取装置１０に処理されたデータを送信してもよい。
【０１５０】
また、画像読取装置１０において情報処理装置２０のワークフローを設定してもよい。この場合、画像読取装置１０にインストールされたアプリケーションを利用できる。
【０１５１】
また、図１〜図１３を参照して上述した説明では、情報処理装置２０は、画像データを文字コードデータに変換したが、本実施形態はこれに限定されない。情報処理装置２０は、文字コードデータを別の文字コードデータに変換してもよい。あるいは、情報処理装置２０は、文字コードデータに電子署名を付してもよい。
【０１５２】
以上、図面を参照しながら本発明の実施形態について説明した。ただし、本発明は、上記の実施形態に限定されるものではなく、その要旨を逸脱しない範囲で種々の態様において実施することが可能である。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚さ、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【産業上の利用可能性】
【０１５３】
本発明は、情報処理システムに関するものであり、産業上の利用可能性を有する。
【符号の説明】
【０１５４】
１０  画像読取装置
２０  情報処理装置
１００  情報処理システム
【図１】
2020135295.tif 000003
【図２】
2020135295.tif 000004
【図３】
2020135295.tif 000005
【図４】
2020135295.tif 000006
【図５】
2020135295.tif 000007
【図６】
2020135295.tif 000008
【図７】
2020135295.tif 000009
【図８】
2020135295.tif 000010
【図９】
2020135295.tif 000011
【図１０】
2020135295.tif 000012
【図１１】
2020135295.tif 000013
【図１２】
2020135295.tif 000014
【図１３】
2020135295.tif 000015